(57)【要約】【課題】  光カプラの形状が変わってもプリント配線板の改版を行うことなく異なる形状の光カプラを実装できるようにする。【解決手段】  入出力ポートにそれぞれ光ケーブルを取り付けた光カプラを固定する光カプラ保持具において、バネ性を有する横長形状の板状体と、前記板状体の長手方向に設けた２つの長円穴と、前記板状体の側部から前記２つの長円穴に亘って切り込まれた溝と、前記板状体に設けた取付部とを備え、前記板状体には、該板状体を湾曲状に曲げた状態で、前記溝に一方の光ケーブルを挿通後に前記光カプラの一側が前記２つの長円穴の一方に通され、前記溝に他方の光ケーブルを挿通後に前記光カプラの他側が前記２つの長円穴の他方に通され、前記曲げ解除後に該板状体の復元力で、前記光カプラの両端部を前記２つの長円穴の縁に係止するように構成されていることを特徴とする。【選択図】    図１
2006003449.tif 000002
【特許請求の範囲】
【請求項１】
入出力ポートにそれぞれ光ケーブルを取り付けた光カプラを固定する光カプラ保持具において、
バネ性を有する横長形状の板状体と、
前記板状体の長手方向に設けた２つの長円穴と、
前記板状体の側部から前記２つの長円穴に亘って切り込まれた溝と、
前記板状体に設けた取付部と
を備え、
前記板状体には、該板状体を湾曲状に曲げた状態で、前記溝に一方の光ケーブルを挿通後に前記光カプラの一側が前記２つの長円穴の一方に通され、前記溝に他方の光ケーブルを挿通後に前記光カプラの他側が前記２つの長円穴の他方に通され、前記曲げ解除後に該板状体の復元力で、前記光カプラの両端部を前記２つの長円穴の縁に係止するように構成されている
ことを特徴とする光カプラ保持具。
【請求項２】
入出力ポートにそれぞれ光ケーブルを取り付けた光カプラを固定する光カプラ保持具において、
バネ性を有する横長形状の板状体と、
前記板状体の長手方向に設けた２つの長円穴と、
前記２つの長円穴間に切り込まれた溝と、
前記板状体に設けた取付部と
を備え、
前記板状体には、該板状体を湾曲状に曲げた状態で、前記溝に一方の光ケーブルを挿通後に前記光カプラの一側が前記２つの長円穴の一方に通され、前記溝に他方の光ケーブルを挿通後に前記光カプラの他側が前記２つの長円穴の他方に通され、前記曲げ解除後に該板状体の復元力で、前記光カプラの両端部を前記２つの長円穴の縁に係止するように構成されている
ことを特徴とする光カプラ保持具。
【請求項３】
請求項１または請求項２記載の光カプラ保持具において、
前記取付部は、前記板状体に設けた留め具取付用の穴である
ことを特徴とする光カプラ保持具。
【請求項４】
請求項１または請求項２記載の光カプラ保持具において、
前記取付部は、前記板状体に設けた前記板状体の両端部に設けた係止爪である
ことを特徴とする光カプラ保持具。
【請求項５】
請求項３記載の光カプラ保持具において、
前記留め具取付用の穴は、前記板状体の中央部に設けられている
ことを特徴とする光カプラ保持具。
【請求項６】
請求項３記載の光カプラ保持具において、
前記留め具取付用の穴は、前記板状体の中央部に１個設けられている
ことを特徴とする光カプラ保持具。
【請求項７】
請求項３記載の光カプラ保持具において、
前記留め具取付用の穴は、前記板状体の中央部に２個設けられている
ことを特徴とする光カプラ保持具。
【請求項８】
請求項３記載の光カプラ保持具において、
前記留め具取付用の穴は、２個あり、前記２つの長円穴より前記板状体の端部側にそれぞれ設けられている
ことを特徴とする光カプラ保持具。
【請求項９】
請求項１または請求項２記載の光カプラ保持具の一側に、
前記板状体に設けた留め具取付用の穴と、
前記２つの長円穴と同形状の長円穴と、
前記板状体の側部から前記２つの長円穴に亘って切り込まれた溝とを設けた補助片を、
切り取り部を介して少なくとも１個以上連接して成る
ことを特徴とする光カプラ保持具。
【請求項１０】
請求項２記載の光カプラ保持具の一側に、
前記板状体に設けた係止爪を囲繞する凹部と、
前記２つの長円穴と同形状の長円穴と、
前記板状体の側部から前記２つの長円穴に亘って切り込まれた溝と、
前記板状体に設けた係止爪とを設けた補助片を、
切り取り部を介して少なくとも１個以上連接して成る
ことを特徴とする光カプラ保持具。
【請求項１１】
請求項１ないし請求項１０の何れか記載の光カプラ保持具において、
前記２つの長円穴は、長円穴の長径部の両端に前記長円穴の半径より小径の長円穴を設けた
ことを特徴とする光カプラ保持具。
【請求項１２】
入出力ポートにそれぞれ光ケーブルを取り付けた光カプラを固定して成る請求項１，請求項３，請求項５，請求項６，請求項７，請求項８，請求項９，請求項１１の何れか記載の光カプラ保持具を、留め具を前記留め具取付用穴に挿通してプリント基板に取り付けて成ることを特徴とする光カプラの取付構造。
【請求項１３】
入出力ポートにそれぞれ光ケーブルを取り付けた光カプラを固定して成る請求項２，請求項４，請求項１０，請求項１１の何れか記載の光カプラ保持具を、前記係止爪をプリント基板に設けた穴に挿入して前記プリント基板に取り付けて成ることを特徴とする光カプラの取付構造。
【請求項１４】
請求項１，請求項３，請求項５，請求項６，請求項７，請求項８，請求項９，請求項１１の何れか記載の光カプラ保持具に、入出力ポートにそれぞれ光ケーブルを取り付けた光カプラを固定した後、留め具を留め具取付用穴に挿通してプリント基板に前記光カプラ保持具を取り付けることを特徴とする光カプラの取付方法。
【請求項１５】
請求項２，請求項４，請求項１０，請求項１１の何れか記載の光カプラ保持具に、入出力ポートにそれぞれ光ケーブルを取り付けた光カプラを固定した後、係止爪をプリント基板に設けた穴に挿入して前記プリント基板に前記光カプラ保持具を取り付けることを特徴とする光カプラの取付方法。
【発明の詳細な説明】
【技術分野】
【０００１】
本発明は、光カプラ保持具、光カプラの取付構造および取付方法に関する。
【背景技術】
【０００２】
従来、プリント回路板上の光モジュールに光カプラが用いられている。光カプラは、例えば、光通信システムにおいて、光ファイバを介して伝送される光を分岐したり、合流したりする際に用いられている（例えば、特許文献１，２，３参照）。
図１９は、入出力ポートにそれぞれ光ケーブル１ａ，１ｂ，１ｃを取り付けた光カプラ１を、カプラ固定クランプ２でプリント配線板３に取り付けた例を示す。
【０００３】
プリント配線板３上には、光カプラ１以外に、光モジュール、その他の電機部品、光コネクタなどの部品が搭載されている。
【特許文献１】特開２０００−２０６３４０号公報
【特許文献２】特開２０００−２９２６４３号公報
【特許文献３】特開２００４−４８６２号公報
【発明の開示】
【発明が解決しようとする課題】
【０００４】
プリント配線板３の構成によっては、部品高の高い部品、低い部品などの高低の差がある。また、最近の小型化、高機能化の技術の発展しており、プリント配線板３の部品実装密度が高くなってきている。このため、プリント配線板３の設計段階から光カプラ１の固定位置を考慮しながら設計しなければならなくなっている。
また、光カプラ１の形状が仕様変更などにて変わると、光カプラ１とカプラ固定クランプ２の距離が違ってくるため、各光カプラ１の処理に苦慮している。
【０００５】
図２０に示すように、光カプラ１の形状が変わると、カプラ固定金具４を新規に起こしてプリント配線板３内に光カプラ１を固定しなければならない。
また、光モジュール自身の上を通るルートになれば、高さを考慮したケーブルクランプ、設置場所を考えなければならないなどの問題がある。
本発明は斯かる従来の問題点を解決するために為されたもので、その目的は、光カプラの形状が変わってもプリント配線板の改版を行うことなく異なる形状の光カプラを実装することを可能とする光カプラ保持具、光カプラの取付構造および取付方法を提供することにある。
【課題を解決するための手段】
【０００６】
請求項１に係る発明は、入出力ポートにそれぞれ光ケーブルを取り付けた光カプラを固定する光カプラ保持具において、バネ性を有する横長形状の板状体と、前記板状体の長手方向に設けた２つの長円穴と、前記板状体の側部から前記２つの長円穴に亘って切り込まれた溝と、前記板状体に設けた取付部とを備え、前記板状体には、該板状体を湾曲状に曲げた状態で、前記溝に一方の光ケーブルを挿通後に前記光カプラの一側が前記２つの長円穴の一方に通され、前記溝に他方の光ケーブルを挿通後に前記光カプラの他側が前記２つの長円穴の他方に通され、前記曲げ解除後に該板状体の復元力で、前記光カプラの両端部を前記２つの長円穴の縁に係止するように構成されていることを特徴とする。
【０００７】
請求項２に係る発明は、入出力ポートにそれぞれ光ケーブルを取り付けた光カプラを固定する光カプラ保持具において、バネ性を有する横長形状の板状体と、前記板状体の長手方向に設けた２つの長円穴と、前記２つの長円穴間に切り込まれた溝と、前記板状体に設けた取付部とを備え、前記板状体には、該板状体を湾曲状に曲げた状態で、前記溝に一方の光ケーブルを挿通後に前記光カプラの一側が前記２つの長円穴の一方に通され、前記溝に他方の光ケーブルを挿通後に前記光カプラの他側が前記２つの長円穴の他方に通され、前記曲げ解除後に該板状体の復元力で、前記光カプラの両端部を前記２つの長円穴の縁に係止するように構成されていることを特徴とする。
【０００８】
請求項３に係る発明は、請求項１または請求項２記載の光カプラ保持具において、前記取付部は、前記板状体に設けた留め具取付用の穴であることを特徴とする。
請求項４に係る発明は、請求項１または請求項２記載の光カプラ保持具において、前記取付部は、前記板状体に設けた前記板状体の両端部に設けた係止爪であることを特徴とする。
【０００９】
請求項５に係る発明は、請求項３記載の光カプラ保持具において、前記留め具取付用の穴は、前記板状体の中央部に設けられていることを特徴とする。
請求項６に係る発明は、請求項３記載の光カプラ保持具において、前記留め具取付用の穴は、前記板状体の中央部に１個設けられていることを特徴とする。
請求項７に係る発明は、請求項３記載の光カプラ保持具において、前記留め具取付用の穴は、前記板状体の中央部に２個設けられていることを特徴とする。
【００１０】
請求項８に係る発明は、請求項３記載の光カプラ保持具において、前記留め具取付用の穴は、２個あり、前記２つの長円穴より前記板状体の端部側にそれぞれ設けられていることを特徴とする。
請求項９に係る発明は、請求項１または請求項２記載の光カプラ保持具の一側に、前記板状体に設けた留め具取付用の穴と、前記２つの長円穴と同形状の長円穴と、前記板状体の側部から前記２つの長円穴に亘って切り込まれた溝とを設けた補助片を、切り取り部を介して少なくとも１個以上連接して成ることを特徴とする。
【００１１】
請求項１０に係る発明は、請求項２記載の光カプラ保持具の一側に、前記板状体に設けた係止爪を囲繞する凹部と、前記２つの長円穴と同形状の長円穴と、前記板状体の側部から前記２つの長円穴に亘って切り込まれた溝と、前記板状体に設けた係止爪とを設けた補助片を、切り取り部を介して少なくとも１個以上連接して成ることを特徴とする。
請求項１１に係る発明は、請求項１ないし請求項１０の何れか記載の光カプラ保持具において、前記２つの長円穴は、長円穴の長径部の両端に前記長円穴の半径より小径の長円穴を設けたことを特徴とする。
【００１２】
請求項１２に係る発明は、入出力ポートにそれぞれ光ケーブルを取り付けた光カプラを固定して成る請求項１，請求項３，請求項５，請求項６，請求項７，請求項８，請求項９，請求項１１の何れか記載の光カプラ保持具を、留め具を前記留め具取付用穴に挿通してプリント基板に取り付けて成ることを特徴とする。
請求項１３に係る発明は、入出力ポートにそれぞれ光ケーブルを取り付けた光カプラを固定して成る請求項２，請求項４，請求項１０，請求項１１の何れか記載の光カプラ保持具を、前記係止爪をプリント基板に設けた穴に挿入して前記プリント基板に取り付けて成ることを特徴とする。
【００１３】
請求項１４に係る発明は、請求項１，請求項３，請求項５，請求項６，請求項７，請求項８，請求項９，請求項１１の何れか記載の光カプラ保持具に、入出力ポートにそれぞれ光ケーブルを取り付けた光カプラを固定した後、留め具を留め具取付用穴に挿通してプリント基板に前記光カプラ保持具を取り付けることを特徴とする。
請求項１５に係る発明は、請求項２，請求項４，請求項１０，請求項１１の何れか記載の光カプラ保持具に、入出力ポートにそれぞれ光ケーブルを取り付けた光カプラを固定した後、係止爪をプリント基板に設けた穴に挿入して前記プリント基板に前記光カプラ保持具を取り付けることを特徴とする。
【発明の効果】
【００１４】
本発明によれば、光カプラの形状が仕様変更などで変わっても、プリント配線板の改版を行うことなく異なる形状の光カプラを実装することを可能となる。
また、使用する光カプラのサイズ毎に光カプラ保持具を用意することがなくなる。
【発明を実施するための最良の形態】
【００１５】
以下、本発明の実施形態を図面に基づいて説明する。
図１は、本発明の第一実施形態に係る光カプラ保持具１０を示す（請求項１，請求項３，請求項５，請求項６に対応）。
本実施形態に係る光カプラ保持具１０は、バネ鋼またはバネ性を有する合成樹脂から成る横長形状の板状体１１と、板状体１１の長手方向に設けた２つの長円穴１２，１３と、板状体１１の側部１１ａから２つの長円穴１２，１３に亘って切り込まれた溝１４，１５と、板状体１１の中央部に設けた取付部としての留め具取付用の穴１６とを備えている。
【００１６】
次に、斯くして構成された本実施形態に係る光カプラ保持具１０の作用を説明する（請求項１２，請求項１４に対応する）。
先ず、図２（ａ）に示すように、光カプラ保持具１０の両端部側から光カプラ保持具１０を湾曲状に曲げる力を加え、その状態を維持する。その側部に、入出力ポートにそれぞれ光ケーブル２０ａ，２０ｂ，２０ｃを取り付けた光カプラ２０を配する。光ケーブル２０ａ，２０ｂ，２０ｃは、所定の長さを有し、プリント配線板２５に設けた余長処理装置を介して巻回される。そして、端部には、ＳＣ型光コネクタプラグ、光モジュールや光ファイバ固定用ミニクランプなどが取り付けられている。また、光カプラ２０は、金属製または合成樹脂製のパイプ状のケースによって覆われている。
【００１７】
次に、図２（ａ）に示すように、一方の光ケーブル２０ａを一方側の溝１４から一方側の長円穴１２に向かって差し込む。
次に、図２（ｂ）に示すように、光カプラ２０を一方側の長円穴１２内に挿入する。
次に、図２（ｃ）に示すように、他方側の光ケーブル２０ｂ，２０ｂを他方側の溝１５に差し込める位置まで光カプラ２０を長円穴１２内に移動し、次いで、他方側の光ケーブル２０ｂ，２０ｃを他方側の溝１５から他方側の長円穴１３内に差し込む。
【００１８】
次に、図２（ｄ）に示すように、光カプラ２０を他方側の長円穴１３方向へ移動し、光カプラ２０を光カプラ保持具１０のほぼ中央部に取り付ける。この段階で、光カプラ保持具１０に加えられていた湾曲状に曲げる力を解除する。これによって、図３に示すように、光カプラ保持具１０は、板状体１１の復元力で、外方へ戻ろうとする力が働き、二点差線の状態から実線で示す状態に変わる。このため、両方の長円穴１２，１３の縁部１２ａ，１３ａが光カプラ２０の外周面に噛み付くように係止する。
【００１９】
次に、図２（ｆ）に示すように、光カプラ２０を取り付けた光カプラ保持具１０を、穴２６を設けたプリント配線板２５の上に配し、中央部に設けた留め具取付用の穴１６に留め具３０を挿入することによって、図２（ｆ）に示すように、光カプラ２０を取り付けた光カプラ保持具１０をプリント配線板２５上に取り付けることができる。
ここで、留め具３０は、留め具本体３１の下面から下向きに延設された中央の支持片部３２と、支持片部３２の下端両側面より上方に向かって拡開状態で延設された一対の弾性係止片３３，３４とを備えている。留め具３０は、穴１６を介して穴２６に押し込まれると、両弾性係止片３３，３４が支持片部３２方向に弾性変形して穴２６を通過し、通過後に両弾性係止片３３，３４が拡開復帰し、図２（ｆ）に示すように、両弾性係止片３３，３４がプリント配線板２５の裏面側に係止される。
【００２０】
以上のように、本実施形態によれば、平板状の光カプラ保持具１０を湾曲状に曲げた状態で、長尺の光ケーブル２０ａ，２０ｂ，２０ｃを取り付けた光カプラ２０を２つの長円穴１２，１３および溝１４，１５を介して組み付けた後、光カプラ２０の平板形状に戻ろうとする復元力を利用して２つの長円穴１２，１３の縁部１２ａ，１３ａによる係止により確実に光カプラ２０を組み付けることができるので、光カプラ２０の形状が変更されても、確実の光カプラ２０を固定できる。また、この状態で、留め具３０を介してプリント配線板２５上に組み付けることによって、光カプラ２０の取付が完了するので、任意の箇所に固定することが可能となる。しかも、１つの留め具３０によって、光カプラ保持具１０を固定しているので、光ケーブル２０ａ，２０ｂ，２０ｃに掛かる張力に応じて留め具３０を中心として自由に回転することができ、光ケーブル２０ａ，２０ｂ，２０ｃを折り曲げるような外力に対して対応することができる。
【００２１】
なお、上記実施形態では、板状体１１の中央部に取付部としての１個の留め具取付用の穴１６を設けた場合について説明したが、本発明はこれに限らず、例えば、図４に示す光カプラ保持具１０Ａのように、２個の穴１６を設けてもよい（請求項７に対応する）。
また、溝１４，１５は、一側部１１ａに設けた場合について説明したが、他側部１１ｂに設けてもよい。また、一方の溝１４（１５）を一側部１１ａに設け、他方の溝１５（１４）を他側部１１ｂに設けてもよい。
【００２２】
図５、図６は、本発明の第二実施形態に係る光カプラ保持具１０Ｂを示す（請求項１，請求項３，請求項８に対応）。
本実施形態に係る光カプラ保持具１０Ｂは、取付部としての２つの留め具取付用の穴１６Ａ，１６Ｂをそれぞれ板状体１１の両端部１１ｃ，１１ｄ側に設けた点で、第一実施形態に係る光カプラ保持具１０とは相違する。その他の構成は、第一実施形態に係る光カプラ保持具１０と同様であるからそれらの説明は省力する。
【００２３】
次に、本実施形態に係る光カプラ保持具１０Ｂの作用を説明する（請求項１３，請求項１５に対応する）。
光カプラ２０の組み付けは、第一実施形態と同様である。すなわち、図２（ａ）から図２（ｄ）までの手順は同じである。
本実施形態では、図２（ｄ）が終えた段階で、穴１６Ａ，１６Ｂ側の端部を外方に曲げてプリント配線板２５上に載置し、図６に示すように、穴１６Ａ，１６Ｂの上から留め具３０をそれぞれ差し込んで、光カプラ２０を組み付けた光カプラ保持具１０Ｂをプリント配線板２５上に固定する。留め具３０による係止は第一実施形態と同じである。
【００２４】
本実施形態においても、第一実施形態と同様の効果を得ることができる。
図７、図８は、本発明の第三実施形態に係る光カプラ保持具１０Ｃを示す（請求項１，請求項４に対応）。
本実施形態に係る光カプラ保持具１０Ｃは、板状体１１の両端部１１ｃ，１１ｄ側に取付部としての係止爪１７Ａ，１７Ｂを設けた点で、第一実施形態に係る光カプラ１０とは相違する。その他の構成は、第一実施形態に係る光カプラ１０と同様であるからそれらの説明は省力する。
【００２５】
次に、本実施形態に係る光カプラ保持具１０Ｃの作用を説明する（請求項１３，請求項１５に対応する）。
光カプラ２０の組み付けは、第一実施形態と同様である。すなわち、図２（ａ）から図２（ｄ）までの手順は同じである。
本実施形態では、図２（ｄ）が終えた段階で、両端の係止爪１７Ａ，１７Ｂをプリント配線板２５上に載置し、図８に示すように、プリント配線板２５の穴２６，２６の上から係止爪１７Ａ，１７Ｂを差し込んで、光カプラ２０を組み付けた光カプラ保持具１０Ｃをプリント配線板２５上に固定する。
【００２６】
本実施形態においても、第一実施形態と同様の効果を得ることができる。
図９、図１０は、本発明の第四実施形態に係る光カプラ保持具１０Ｄを示す（請求項２，請求項３，請求項５，請求項７に対応）。
本実施形態に係る光カプラ保持具１０Ｄは、溝１４，１５に代えて２つの長円穴１２，１３を結ぶ溝１８を設けるとともに中央部に２つの穴１６Ｃ，１６Ｄを設けた点で、第一実施形態に係る光カプラ保持具１０とは相違する。
【００２７】
次に、本実施形態に係る光カプラ保持具１０Ｄの作用を説明する（請求項１３，請求項１５に対応する）。
先ず、図１０（ａ）に示すように、光カプラ保持具１０Ｄの両端部側から光カプラ保持具１０Ｄを湾曲状に曲げる力を加え、その状態を維持する。次に、光カプラ保持具１０Ｄの溝１８を押し開くように両側部側へ光カプラ保持具１０Ｄを拡開する。これによって、溝１８が大きな開口となる。
【００２８】
次に、図１０（ｂ）に示すように、光カプラ２０を光カプラ保持具１０Ｄの上に配し、光カプラ２０の一方側の光ケーブル２０ａ側を溝１８から一方側の長円穴１２側へ導き、光ケーブル２０ａを一方側の長円穴１２から外部へ導出する。
次に、図１０（ｃ）に示すように、光カプラ２０を一方側の長円穴２０を通して他方側の光ケーブル２０ｂ，２０ｃが溝１８の上に位置するように移動する。次いで、光ケーブル２０ｂ，２０ｃを溝１８から他方側の長円穴１３側へ導き、光ケーブル２０ｂ，２０ｃを他方側の長円１３から外部へ導出する。
【００２９】
次に、図１０（ｄ）に示すように、光カプラ２０を他方側の長円穴１３方向へ移動し、光カプラ２０の他方側を他方側の長円穴１３内に通し、光カプラ２０が光カプラ保持具１０Ｄの中央部に配置されたところで、押圧力と拡開力とを解除する。これによって、第一実施形態において図３を用いて説明したように、光カプラ保持具１０Ｄは、板状体１１の復元力で、外方へ戻ろうとする力が働き、両方の長円穴１２，１３の縁部１２ａ，１３ａが光カプラ２０の外周面に噛み付くように係止する。
【００３０】
次に、図１０（ｅ）に示すように、光カプラ２０を取り付けた光カプラ保持具１０Ｄを、２つの穴２６を設けたプリント配線板２５の上に配し、２つの穴１６Ｃ，１６Ｄに留め具３０を挿入することによって、図１０（ｆ）に示すように、光カプラ２０を取り付けた光カプラ保持具１０Ｄをプリント配線板２５上に取り付けることができる。
本実施形態においても、第一実施形態と同様の作用効果を奏することができる。
【００３１】
なお、上記実施形態において、光カプラ２０を光カプラ保持具１０Ｄに組み付ける際、光ケーブル２０ａ，２０ｂ，２０ｃを拡開した溝１８に押し通す場合について説明したが、本発明はこれに限らず、光カプラ保持具１０Ｄの下方側に光カプラ２０を配し、光カプラ２０を拡開した溝１８を通し、これに伴って先に一方側の光ケーブル２０ａを一方側の長円穴１２内に導き、続いて光カプラ２０を一方側の長円穴１２内に導き、次いで、光カプラ２０の残りを拡開した溝１８を通し、これに伴って他方側の光ケーブル２０ｂ，２０ｃを他方側の長円穴１３内に導き、続いて光カプラ２０を他方側の長円穴１３内に導くようにしてもよい。
【００３２】
また、本実施形態では、２つの穴１６Ｃ，１６Ｄを設けた場合について説明したが、本発明はこれに限らず、図１１に示す光カプラ保持具１０Ｅのように、１つの穴１６Ｅとしてもよい（請求項６に対応）。
また、図１２に示す光カプラ保持具１０Ｆのように、穴１６Ｃ，１６Ｄに代えて板状体１１の両端部に穴１６Ｆ，１６Ｇを設けてもよい（請求項８に対応）。この場合には、図５，図６に示す第二実施形態に係る光カプラ保持具１０Ｂと同様の作用効果を奏することができる。
【００３３】
また、図１３に示す光カプラ保持具１０Ｇのように、穴１６Ｃ，１６Ｄに代えて板状体１１の両端部に係止爪１７Ｃ，１７Ｄを設けてもよい（請求項４に対応）。この場合には、
図７、図８に示す第三実施形態に係る光カプラ保持具１０Ｃと同様の作用効果を奏することができる。
【００３４】
上記各実施形態においては、径が等しい光カプラ２０を取り付ける場合について説明したが、本発明はこれに限らず、例えば、図１４、図１５、図１６に示すように、長円穴１２，１３にこれらより小径の長円穴１２ｂ，１３ｂを設ける（請求項１１に対応）。
本例では、図１５に示すように、所定の径の光カプラ２０を係止する場合は、上記各実施形態と同様に長円穴１２，１３で係止し、図１６に示すように、所定の光カプラ２０よりも小径の光カプラ２０ａを使用する場合には、小径の長円穴１２ｂ，１３ｂで係止することが可能となる。
【００３５】
図１７は、本発明の第五実施形態に係る光カプラ保持具１０Ｈを示す（請求項９に対応する）。
本実施形態に係る光カプラ保持具１０Ｈは、第一実施形態に係る光カプラ保持具１０の一端部にＶ溝１９，１９Ａを介して２つの補助片１１Ａ，１１Ｂを設けている。補助片１１Ａ、１１Ｂは、穴１６Ｇと、長円穴１２Ａと、長円穴１２Ａに連なる溝１４Ａとを備えている。
【００３６】
本実施形態によれば、光カプラ２０の長さが所定の長さより長い場合に、補助片１１Ａまたは補助片１１Ｂを残して使用することが可能となる。
従って、補助片１１Ａ，１１Ｂを必要としない場合は、Ｖ溝１９から切り離し、補助片１１Ａまでの長さを必要とする場合には、Ｖ溝１９Ａから切り離し、補助片１１Ｂまでの長さを必要とする場合には、Ｖ溝１９，１９Ａを切り離すことなくそのまま使用する。
【００３７】
本実施形態においても第一実施形態と同様の作用効果を奏することができる。
なお、本実施形態において、補助片１１Ａ，１１Ｂに穴１６Ｇを設けた場合について説明したが、穴１６により固定できるので、設けなくても使用可能である。また、穴１６は、図４に示すように２つとしてもよい。
図１８は、本発明の第六実施形態に係る光カプラ保持具１０Ｉを示す（請求項１３に対応する）。
【００３８】
本実施形態に係る光カプラ保持具１０Ｉは、第三実施形態に係る光カプラ保持具１０Ｃの一端部にＶ溝１９Ｂ，１９Ｃを介して２つの補助片１１Ｃ，１１Ｄを設けている。補助片１１Ｃは、係止爪１７Ｂの周囲を以上する凹部１１ｅと、長円穴１２Ｂと、長円穴１２Ｂに連なる溝１４Ｂと、係止爪１７Ｃとを備えている。補助片１１Ｄは、係止爪１７Ｃの周囲を以上する凹部１１ｆと、長円穴１２Ｂと、長円穴１２Ｂに連なる溝１４Ｂと、係止爪１７Ｄとを備えている。
【００３９】
本実施形態によれば、光カプラ２０の長さが所定の長さより長い場合に、補助片１１Ｃまたは補助片１１Ｄを残して使用することが可能となる。
従って、補助片１１Ｃ，１１Ｄを必要としない場合は、Ｖ溝１９Ｃから切り離し、補助片１１Ｃまでの長さを必要とする場合には、Ｖ溝１９Ｄから切り離し、補助片１１Ｄまでの長さを必要とする場合には、Ｖ溝１９Ｃ，１９Ｄを切り離すことなくそのまま使用する。
【００４０】
本実施形態においても第一実施形態と同様の作用効果を奏することができる。
【図面の簡単な説明】
【００４１】
【図１】本発明の第一実施形態に係る光カプラ保持具１０を示す斜視図である。
【図２】図１に示す光カプラ保持具１０の組み立て手順を示す説明図である。
【図３】図１に示す光カプラ保持具１０の作用を示す拡大図である。
【図４】２個の穴１６を設けた光カプラ保持具１０Ａを示す斜視図である。
【図５】本発明の第二実施形態に係る光カプラ保持具１０Ｂを示す斜視図である。
【図６】図５に示す光カプラ保持具１０Ｂを用いた光カプラ２０の取付構造を示す説明図である。
【図７】本発明の第三実施形態に係る光カプラ保持具１０Ｃを示す斜視図である。
【図８】図７に示す光カプラ保持具１０Ｃを用いた光カプラ２０の取付構造を示す説明図である。
【図９】本発明の第四実施形態に係る光カプラ保持具１０Ｄを示す斜視図である。
【図１０】図９に示す光カプラ保持具１０Ｄの組み立て手順を示す説明図である。
【図１１】１個の穴１６Ｅを設けた光カプラ保持具１０Ｅを示す斜視図である。
【図１２】穴１６Ｃ，１６Ｄに代えて板状体１１の両端部に穴１６Ｆ，１６Ｇを設け光カプラ保持具１０Ｆを示す斜視図である。
【図１３】穴１６Ｃ，１６Ｄに代えて板状体１１の両端部に係止爪１７Ｃ，１７Ｄを設け光カプラ保持具１０Ｇを示す斜視図である。
【図１４】長円穴１２，１３にこれらより小径の長円穴１２ｂ，１３ｂを設けた例を示す説明図である。
【図１５】図１４に示す長円穴１２，１３に所定の径の光カプラ２０を係止する場合を示す説明図である。
【図１６】図１４に示す長円穴１２，１３に所定の光カプラ２０よりも小径の光カプラ２０ａを係止する場合を示す説明図である。
【図１７】本発明の第五実施形態に係る光カプラ保持具１０Ｈを示す斜視図である。
【図１８】本発明の第六実施形態に係る光カプラ保持具１０Ｉを示す斜視図である。
【図１９】従来例を示す説明図である。
【図２０】従来例を示す説明図である。
【符号の説明】
【００４２】
１０，１０Ｂ，１０Ｃ，１０Ｄ，１０Ｅ，１０Ｆ，１０Ｇ，１０Ｈ，１０Ｉ  光カプラ保持具
１１  板状体
１１Ａ，１１Ｂ，１１Ｃ，１１Ｄ  補助片
１１ａ，１１ｂ，１１ｃ，１１ｄ  側部
１１ｅ，１１ｆ  凹部
１２，１２Ａ，１２Ｂ，１３，１２Ａ  長円穴
１２ａ，１３ａ  縁部
１２ｂ，１３ｂ  小径の長円穴
１４，１４Ａ，１４Ｂ，１５，１８  溝
１６，１６Ａ，１６Ｂ，１６Ｃ，１６Ｄ，１６Ｅ，１６Ｇ  穴
１７Ａ，１７Ｂ，１７Ｃ，１７Ｄ  係止爪
１９，１９Ａ，１９Ｃ，１９Ｄ  Ｖ溝
２０  光カプラ
２０ａ，２０ｂ，２０ｃ  光ケーブル
２５  プリント配線板
２６  穴
３０  留め具
【図１】
2006003449.tif 000003
【図２】
2006003449.tif 000004
【図３】
2006003449.tif 000005
【図４】
2006003449.tif 000006
【図５】
2006003449.tif 000007
【図６】
2006003449.tif 000008
【図７】
2006003449.tif 000009
【図８】
2006003449.tif 000010
【図９】
2006003449.tif 000011
【図１０】
2006003449.tif 000012
【図１１】
2006003449.tif 000013
【図１２】
2006003449.tif 000014
【図１３】
2006003449.tif 000015
【図１４】
2006003449.tif 000016
【図１５】
2006003449.tif 000017
【図１６】
2006003449.tif 000018
【図１７】
2006003449.tif 000019
【図１８】
2006003449.tif 000020
【図１９】
2006003449.tif 000021
【図２０】
2006003449.tif 000022